(57)【特許請求の範囲】
【請求項１】
賞球としての遊技球を検出する賞球排出センサを有し、賞球を遊技者側に排出する賞球排出機構と、
貸球としての遊技球を検出する貸球排出センサを有し、貸球を遊技者側に排出する貸球排出機構と、
前記賞球排出および貸球排出を制御する排出制御装置と、
を備えた遊技機において、
前記賞球排出機構と貸球排出機構とを独立に構成し、
前記賞球排出機構を前記排出制御装置に対して電気的に断続可能な第１の接続手段と、
前記貸球排出機構を前記排出制御装置に対して電気的に断続可能な第２の接続手段と、
前記賞球排出機構と排出制御装置との電気的接続状態を監視する第１の接続状態監視手段と、
前記貸球排出機構と排出制御装置との電気的接続状態を監視する第２の接続状態監視手段と、
賞球排出に関わる異常を検出する賞球異常検出手段と、
この賞球異常検出手段により異常が検出された場合に所定の賞球異常対応処理を実行する賞球異常対応手段と、
貸球排出に関わる異常を検出する貸球異常検出手段と、
この貸球異常検出手段により異常が検出された場合に所定の貸球異常対応処理を実行する貸球異常対応手段と、
前記賞球異常対応処理の実行状態を解除する賞球復帰手段と、
前記貸球異常対応処理の実行状態を解除する貸球復帰手段と、
を備え、
前記賞球復帰手段は、前記第１の接続状態監視手段が前記賞球排出機構と排出制御装置の電気的接続がいったん断たれた後に再接続されたことを検出した場合に前記賞球異常対応処理の実行状態を解除し、
前記貸球復帰手段は、前記第２の接続状態監視手段が前記貸球排出機構と排出制御装置との電気的接続がいったん断たれた後に再接続されたことを検出した場合に前記貸球異常対応処理の実行状態を解除することを特徴とする遊技機。
【請求項２】
前記第１の接続状態監視手段は、
前記賞球排出センサのレベルを検出する第１レベル検出回路と、
前記第１レベル検出回路の検出レベルを監視判定する賞球排出ユニット断線検出回路と、
から構成し、
前記第２の接続状態監視手段は、
前記貸球排出センサのレベルを検出する第２レベル検出回路と、
前記第２レベル検出回路の検出レベルを監視判定する貸球排出ユニット断線検出回路と、
から構成したことを特徴とする請求項１に記載の遊技機。
【請求項３】
前記賞球異常検出手段または貸球異常検出手段の少なくとも一方により異常が検出された場合に、前記賞球排出機構からの賞球排出の禁止と前記貸球排出機構からの貸球排出の禁止とを同時に実行する異常対応手段と、
を備えたことを特徴とする請求項１又は２に記載の遊技機。
【発明の詳細な説明】
【０００１】
【発明の属する技術分野】
本発明は、貸球により遊技を行わせ、この遊技の結果に応じて賞球の排出を行う遊技機に関し、特に球排出機構の異常への適確な対応を確保し得る改良に関する。
【０００２】
【従来の技術】
遊技機には、例えばパチンコ遊技機のように、貸球により遊技を行わせ、この遊技の結果に応じて賞球の排出を行うものがある。このような遊技機において、本出願人による特願平１０−１３０９７４号（特開平１１−３０９２６０号公報）には、貸球の排出機構と賞球の排出機構を別個の機構とした遊技機の提案がなされている。
【０００３】
この特願平１０−１３０９７４号（特開平１１−３０９２６０号公報）の遊技機は、貸球の排出機構と賞球の排出機構を別個の機構としたもので、これにより、第三者検定機関によりなされる検査や製造メーカにて行う性能試験や製品の出荷チェック等を容易かつ正確に行うことができるようにしている。すなわち、この遊技機では、貸球排出機構と賞球排出機構とは異なる機構に構成されるので、貸球排出機構の検査と賞球排出機構の検査とを別々に行うことができ、検査が容易かつ正確となる。また、貸球排出機構に係わる部分に生じた異常と賞球排出機構に係わる部分に生じた異常とは別々に検知されるので、球詰まりや球無し等の異常が発生した場合においても、異常発生への対処を適確に行うことができる。
【０００４】
【発明が解決しようとする課題】
しかしながら、この遊技機においては、貸球と賞球の排出が同一の排出口から同一の供給皿になされる構成となっているので、排出口からの遊技球の排出状況を見ただけでは、いずれかの球排出機構において異常が発生していることが分からない場合がある。すなわち、貸球排出機構と賞球排出機構のいずれか一方の排出機構に異常が発生した場合でも、異常が発生していない排出機構からの排出はそのままなされるので、異常を報知する異常ランプの点灯に気付かなかった場合には、排出口からの遊技球の排出状況を見ただけでは異常発生が分からない場合がある。このような場合に、遊技者がそのまま遊技を継続してしまうと、球排出機構の異常に対する対処が適切になされない恐れがある。
【０００５】
また、貸球排出機構および賞球排出機構の異常としては、球排出機構へ供給される遊技球の不足、球排出機構から排出された遊技球の過剰な滞留（いわゆるオーバーフロー）、セーフユニット（入賞球が集められて検出される機構）に関する異常など、様々な種類のものがあり、それぞれの異常発生への対処は異常の種類によって異なっている。したがって、異常状態への対応が適確になされるためには、異常発生の報知は、単に貸球排出機構と賞球排出機構のいずれの異常であるかの報知だけではなく、より具体的になされるべきである。
【０００６】
本発明は、このような問題点に着目してなされたもので、球排出機構に発生した異常への対応を適確に行い得る遊技機を提供することを目的とする。
【０００７】
【課題を解決するための手段】
第１の発明では、賞球としての遊技球を検出する賞球排出センサを有し、賞球を遊技者側に排出する賞球排出機構と、貸球としての遊技球を検出する貸球排出センサを有し、貸球を遊技者側に排出する貸球排出機構と、前記賞球排出および貸球排出を制御する排出制御装置と、を備えた遊技機において、前記賞球排出機構と貸球排出機構とを独立に構成し、前記賞球排出機構を前記排出制御装置に対して電気的に断続可能な第１の接続手段と、前記貸球排出機構を前記排出制御装置に対して電気的に断続可能な第２の接続手段と、前記賞球排出機構と排出制御装置との電気的接続状態を監視する第１の接続状態監視手段と、前記貸球排出機構と排出制御装置との電気的接続状態を監視する第２の接続状態監視手段と、賞球排出に関わる異常を検出する賞球異常検出手段と、この賞球異常検出手段により異常が検出された場合に所定の賞球異常対応処理を実行する賞球異常対応手段と、貸球排出に関わる異常を検出する貸球異常検出手段と、この貸球異常検出手段により異常が検出された場合に所定の貸球異常対応処理を実行する貸球異常対応手段と、前記賞球異常対応処理の実行状態を解除する賞球復帰手段と、前記貸球異常対応処理の実行状態を解除する貸球復帰手段と、を備え、前記賞球復帰手段は、前記第１の接続状態監視手段が前記賞球排出機構と排出制御装置の電気的接続がいったん断たれた後に再接続されたことを検出した場合に前記賞球異常対応処理の実行状態を解除し、前記貸球復帰手段は、前記第２の接続状態監視手段が前記貸球排出機構と排出制御装置との電気的接続がいったん断たれた後に再接続されたことを検出した場合に前記貸球異常対応処理の実行状態を解除する。
【０００８】
第２の発明では、前記第１の接続状態監視手段は、前記賞球排出センサのレベルを検出する第１レベル検出回路と、前記第１レベル検出回路の検出レベルを監視判定する賞球排出ユニット断線検出回路と、から構成し、前記第２の接続状態監視手段は、前記貸球排出センサのレベルを検出する第２レベル検出回路と、前記第２レベル検出回路の検出レベルを監視判定する貸球排出ユニット断線検出回路と、から構成した。
【０００９】
第３の発明では、前記賞球異常検出手段または貸球異常検出手段の少なくとも一方により異常が検出された場合に前記賞球排出機構からの賞球排出の禁止と前記貸球排出機構からの貸球排出の禁止を同時に実行する異常対応手段とを備えた。
【００１４】
【発明の作用および効果】
本発明では、貸球排出機構から排出された貸球により遊技が行われ、この遊技の結果に応じて賞球排出機構から賞球排出がなされるとともに、賞球異常検出手段による賞球排出に関わる異常（例えば、賞球排出機構の故障）の検出および貸球異常検出手段による貸球排出に関わる異常（例えば、貸球排出機構の異常）の検出がなされ、賞球排出に関わる異常発生時には所定の賞球異常対応処理（例えば、賞球排出機構の作動禁止処理等）が、また貸球排出に関わる異常発生時には所定の貸球異常対応処理（例えば、貸球排出機構の作動禁止処理等）が、それぞれ実行される。この場合、賞球異常対応処理の実行状態を解除する賞球復帰手段と、貸球異常対応処理の実行状態を解除する貸球復帰手段とは別個に設けられ、独立に作動可能である。したがって、例えば賞球排出機構または貸球排出機構のいずれか一方が修復されていない間でも、異常の発生していない（あるいは修復された）他方の排出機構の作動を開始することができるなど、異常発生時に柔軟な対処を行うことが可能となる。よって、遊技への復帰時間を短くして、遊技機の稼働時間を長くすることができるとともに、異常の点検および修復は、遊技機の稼働を確保しつつ確実に行うことができる。
【００１５】
また、異常対応処理の実行状態からの復帰は、第１、第２の接続手段の接続をいったん断った後に再接続することによりなされる。したがって、異常状態が発生し、異常が発生した賞球排出機構または貸球排出機構を修理するときに、電源ショート等を防止するために、第１または第２の接続手段の接続をいったん断って、修理後に再接続を行えば、自動的に異常対応処理の実行状態からの復帰がなされ、復帰のための特別な動作（例えばボタンを押す動作等）を行う必要がない。したがって、異常修復後の復帰処理は、確実かつ迅速に行い得る。
【００２１】
【発明の実施の形態】
以下、添付図面に基づいて、本発明の実施の形態について説明する。
【００２２】
図１〜図１２には、本発明の第１の実施の形態を示す。
【００２３】
図１のパチンコ遊技機１の正面図に示されるように、パチンコ遊技機１は、パチンコ機本体２とカードユニット３とから概略構成される。パチンコ機本体２は、機枠４により囲われており、この機枠４に、大きい開口部を有する額縁状の前面枠５が開閉可能に取り付けてある。この前面枠５の背面には、前面枠５の開口部に後方から臨むようにして遊技盤６が取り付けてある。
【００２４】
遊技盤６には、ガイドレール等の区画部材７を配設してあり、この区画部材７によりほぼ円形状の遊技領域８を区画する。この遊技領域８には、始動口９、アタッカー（特別変動入賞装置）１０および一般入賞口１１等の役物や、可変表示装置１２等が設けられる。
【００２５】
前面枠５の前面には、開口部を前方から塞ぐようにして、額縁状の前面カバー部材１５と、上皿１６を前面に設けた開閉パネル１７とを、ともに開閉可能な状態で取り付けてある。また、開閉パネル１７の下方には、灰皿１８、下皿１９および発射操作部２０を設ける。
【００２６】
前面カバー部材１５の前面上部には、球貸異常ランプ２１と賞球異常ランプ２２とを設ける。球貸異常ランプ２１は、前面カバー部材１５の上縁部左側に設けてあり、後述する貸球排出機構に係わる異常を報知する貸球排出異常報知部として機能する。一方、賞球異常ランプ２２は、前面カバー部材１５の上縁部右側に設けてあり、後述する賞球排出機構に係わる異常を報知する賞球排出異常報知部として機能する。
【００２７】
上皿１６は、貸球として排出された遊技球および賞球として排出された遊技球を一時的に貯留する部分であり、球供給皿として機能する。この上皿１６の表面には、遊技球（貸球）の貸し出しを受ける際に操作する球貸スイツチ２３、カードユニット３に装着された遊技カードを返却させる際に操作するカード返却スイッチ２４、遊技カードに記憶された度数情報を表示する残高表示器２５等を設ける。なお、上皿１６と下血１９とを連通するオーバーフロー流路には、図示されないオーバーフローセンサ６１（図１０参照）が設けられ、このオーバーフロー流路が遊技球で満たされたオーバーフロー状態を検出する。
【００２８】
発射操作部２０は、回転操作により打球発射装置から遊技球を発射させるもので、図示されない単発スイッチ６７とタッチプレート６８が備えられる（図１０参照）。操作者（遊技者）は、この単発スイッチ６７を操作することにより、発射操作部２０の回転操作中でも打球発射をストップすることができる。また、タッチプレート６８は、操作者の手が発射操作部２０に触れていることを検知するもので、このタッチプレート６８による検知がないときには、打球発射がストップされるようになっている。
【００２９】
カードユニット３には、図示されないカードユニット制御装置２６を設けてある（図１０参照）。このカードユニット制御装置２６は、ＣＲサンド制御装置とも呼ばれ、球貸スイッチ２３やカード返却スイッチ２４からの操作信号を受信すると共に、排出制御装置７０との間で球貸制御信号の送受信を行う。
【００３０】
図２には、パチンコ遊技機１の背面図を示す。
【００３１】
図示されるように、パチンコ機本体２の裏側には、裏機構盤３０を取り付けてあり、この裏機構盤３０の上部には、貸球あるいは賞球として使用する遊技球を一時貯留する球貯留タンク３１を設ける。この球貯留タンク３１の下方には、図３にも示すように、球貯留タンク３１から導出した遊技球を整列させながら流下案内する球導出樋３２を設け、この球導出樋３２の出口付近には、貯留された遊技球が規定量（レベル）以上あるか否かを検出する半端センサユニット３３を設ける。また、この半端センサユニット３３の出口には、図４に示すように、球導出樋３２からの遊技球を貸球や賞球として排出する球排出ユニット３４を接続する。さらに、球排出ユニット３４の球出口に連通させて球排出路３５を下方に向けて設ける。この球排出路３５は、球排出ユニット３４が排出した遊技球（貸球や賞球）を上皿１６側に流下案内する。なお、球導出樋３２、半端センサユニット３台、および球排出ユニット３４により球排出機構が構成される。
【００３２】
球排出ユニット３４の左側には、遊技の制御を行う遊技制御装置３６が配設される。また、遊技制御装置３６の下方には、排出制御装置７０が配設される。なお、この排出制御装置７０のケーシング上面には、賞球リセットボタン８１、貸球リセットボタン８２、エラー表示器８３の表示部８３Ａが配設されるが（図２には図示せず）、これについては後述する（図８参照）。
【００３３】
排出制御装置７０の右側にはセーフユニット３９が設けられる。このセーフユニット３９は、上記した始動口９、アタッカー１０、および一般入賞口１１等の役物に入賞した遊技球（セーフ球）を１個づつ検出する部材であり、セーフ球を検出可能なセーフセンサ４０と、図示されないセーフ球係止片を動作させるセーフソレノイド４１とを備える（図１０参照）。
【００３４】
球導出樋３２、半端センサユニット３３、球排出ユニット３４は、それぞれ、３条以上の複数条に構成した球流路４３を備える。この球流路４３は、貸球を案内可能な貸球流路４３ａ（貸球用の球流路）と、賞球を案内可能な２本の賞球流路４３ｂ（賞球用の球流路）とからなる。貸球流路４３ａは、貸球用半端センサ４４および貸球排出部５０（いずれも後述）と共に貸球排出機構として機能する。同様に、賞球流路４３ｂは、賞球用半端センサ４５および賞球排出部５１（いずれも後述）と共に賞球排出機構として機能する。
【００３５】
このように貸球排出機構４３ａ，４４，５０と賞球排出機構４３ｂ，４５，５１とを別個に独立させて設けることにより、貸球の排出や賞球の排出という機能毎に検査を行うことができる。また、球排出ユニット３４から排出される遊技球に関し、貸球排出部５０から排出される遊技球であるのか、賞球排出部５１から排出される遊技球であるのかを容易に判別できる。したがって、第三者検定機関において行われる機種検定、製造メーカにおいて行われる性能試験、製品の出荷チェック等を、容易かつ正確に行うことができる。
【００３６】
また、これらの貸球排出機構と賞球排出機構とを動作させる制御系は、貸球排出機構と賞球排出機構とで別個独立させてある。これにより、貸球排出機構と賞球排出機構とは独立して動作可能となっている。
【００３７】
半端センサユニット３３においては、球流路４３毎に半端センサが配設されている。すなわち、図５に貸球流路４３ａで代表して示すように、１条の貸球流路４３ａには貸球用半端センサ４４が配設され、２条の賞球流路４３ｂには各条毎に賞球用半端センサ４５が配設される。
【００３８】
貸球用半端センサ４４は、貯留貸球量のレベルを検出するセンサである。詳しくは、可動部材４６の遮光板４６ａにより検出信号が変化するフォトインタラプタとして構成される。この可動部材４６は、一端部分が軸支されることにより、この軸支部分を中心にして上下方向に回動可能に構成してあり、貸球流路４３ａ上に整列した遊技球（貸球として排出すべく貯留された遊技球）が、可動部材４６の底面に下側から接する。そして、図５（ｃ）に示すように、遊技球が可動部材４６の底面に接した状態では、遮光板４６ａに設けた透光部４６ｂを通じて、貸球用半端センサ４４の発光素子からの検出光が受光素子に受光され、貸球用半端センサ４４の検出信号は「球有り」を示すオンレベルとなる。一方、図５（ａ）に示すように、貸球流路４３ａ上に遊技球が貯留されていない状態では、可動部材４６の遮光板４６ａが、発光素子からの検出光を遮り、受光素子に受光させない。したがって、貸球用半端センサ４４の検出信号は「球無し」を示すオフレベルとなる。
【００３９】
このような構成により、貸球用半端センサ４４は、球排出ユニット３４の一部を構成する貸球排出部５０（図６参照）の最大貸球数に相当する個数の遊技球が貸球流路４３ａ上に貯留されているか否かを検出する。ここで、最大貸球数とは、１回の排出動作で排出可能な遊技球の球数であり、例えば２５個に設定してある。そして、貸球用半端センサ４４は、最大貸球数に相当する２５個以上の遊技球が貯留されている場合に、貯留貸球量が規定レベル以上であることを示す検出信号を出力する。また、貯留されている遊技球が２５個未満の場合に、貯留貸球量が規定レベルに達していないことを示す検出信号を出力する。
【００４０】
賞球用半端センサ４５は、貯留賞球量のレベルを検出するセンサで、上記した貸球用半端センサ４４と同様の構成を備える。すなわち、賞球用半端センサ４５は、可動部材の状態に応じて検出信号を変化させるフォトインタラプタとして構成され、球排出ユニット３４の一部を構成する賞球排出部５１（図６参照）の最大賞球数に相当する個数の遊技球が賞球流路４３ｂ上に貯留されているか否かを検出する。ここで、最大賞球数とは、１回の排出動作で排出可能な遊技球の球数であり、例えば１５個に設定される。そして、賞球用半端センサ４５は、最大賞球数の約１／２に相当する８個の遊技球が各条に貯留されている場合に貯留賞球量が規定レベル以上であることを示す検出信号を出力し、各条に貯留されている遊技球が８個未満の場合に貯留賞球量が規定レベルに達していないことを示す検出信号を出力する。
【００４１】
なお、各球流路４３は、適宜折り返された形態で設けてある。例えば、貸球流路４３ａは、図５（ａ）に示すように、略Ｚ字状に蛇行している。これは、球流路４３を折り返すことで、上流側に位置する遊技球からの球流下圧を緩和し、遊技球を円滑に流下させるためである。
【００４２】
このように貸球用半端センサ４４と賞球用半端センサ４５とを別個に構成したことにより、それぞれの半端センサ４４，４５が検出する球量レベルを異ならせて設定できる。このため、必要最小限の球量が検出可能なように貸球用半端センサ４４と賞球用半端センサ４５とを配設することができる。すなわち、貸球排出部５０が１回の排出動作で排出可能な最大貸し球数を検出するように貸球用半端センサ４４を設けることができ、賞球排出部５１が１回の排出動作で排出可能な最大賞球数を検出するように賞球用半端センサ４５を設けることができる。従って、検出する貯留量のレベルに起因する不具合を無くすことができ、球排出を効率よく行わせることができる。
【００４３】
球排出ユニット３４は、図６に示すように、貸球の排出を行う貸球排出部５０と賞球の排出を行う賞球排出部５１とをユニット化して構成した部材である。貸球排出部５０と賞球排出部５１は、貸球排出部５０に１条の貸球流路４３ａが設けられ、賞球排出部５１に２条の賞球流路４３ｂが設けられているほかは、略同様な構成となっている。
【００４４】
貸球排出部５０を例に挙げて説明すると、図７に示すように、貸球排出部５０は、１列に整列させた状態で貸し球を流下案内する貸球流路４３ａと、貸球流路４３ａの途中に設けられて貸球流路４３ａ内の貸し球を１個づつ検出可能な貸球排出センサ（球貸排出センサ）５２と、先端部分が貸球流路４３ａ内における貸球排出センサ５２の下流側に出没可能に取り付けられこの先端部分により貸球の流下を禁止あるいは許容する球係止片５３と、球係止片５３に接続したプランジャー部を往復動させて球係止片５３の先端部分を貸球流路４３ａ内に出没させる貸球排出ソレノイド５４とを備える。
【００４５】
そして、貸球排出ソレノイド５４の消磁状態では、球係止片５３の先端部分が貸球流路４３ａ内に突出し、この突出した先端部分に遊技球が係止される。一方、貸球排出ソレノイド５４の励磁状態では、球係止片５３の先端部分が貸球流路４３ａ内から退避し、貸球流路４３ａ内の遊技球の流下が許容される。この流下が許容された状態で遊技球が貸球排出センサ５２を通過すると、貸球排出センサ５２は遊技球が通過する毎に、検出信号を出力する。この検出信号は、排出制御装置７０に入力される。
【００４６】
賞球排出部５１は、上記した貸球流路４３ａに代えて賞球流路４３ｂを、貸球排出センサ５２に代えて賞球排出センサ５５を、貸球排出ソレノイド５４に代えて賞球排出ソレノイド５６をそれぞれ設けた構成となっている。
【００４７】
なお、本実施の形態では貸球排出部５０と賞球排出部５１とをワンユニット化したが、本発明はこのような形態に限られるものではなく、貸球排出部５０と賞球排出部５１とを別ユニットとする構成を採ってもよい。
【００４８】
図８に示すように、排出制御装置７０のケーシング上面には、賞球リセットボタン８１、貸球リセットボタン８２、エラー表示器８３の表示部８３Ａが配設される。
【００４９】
賞球リセットボタン８１、貸球リセットボタン８２は、それぞれ、点滅可能な賞球リセット要求ランプ８１Ａ、貸球リセット要求ランプ８２Ａ（図１０参照）を、これらの点滅状態が目視され得るように内蔵したボタンである。そして、賞球リセット義務エラー（賞球排出に関わる異常であって、排出制御装置７０が行った賞球異常対応処理を解除するために、後述する賞球リセット処理が必要な異常）または貸球リセット義務エラー（貸球排出に関わる異常であって、排出制御装置７０が行った貸球異常対応処理を解除するために、後述する貸球リセット処理が必要な異常）が発生したときには、それぞれ賞球リセット要求ランプ８１Ａまたは貸球リセット要求ランプ８２Ｂの点滅により、異常発生およびリセットの必要性が報知される。また、発生した異常が修復されて通常の遊技に復帰するときには、賞球リセットボタン８１または貸球リセットボタン８２を押すことにより、排出制御装置７０にスイッチＯＮ信号が送信され、賞球リセット処理または貸球リセット処理がなされ、賞球排出または貸球排出が初期状態からやり直されるようになっている。
【００５０】
エラー表示器８３は、賞球排出機構または貸球排出機構に発生した異常の種類を表示部８３Ａに表示する装置である。この表示部８３Ａは、例えば７セグメントディスプレイからなり、異常の種類を表す１桁の数字からなるエラーコードを、赤または緑の点灯または点滅状態で表示可能となっている。なお、後述するように、このエラー表示器８３は、複数の種類の異常が同時発生したときには、異常の種類によってあらかじめ定められている優先順位にしたがって、優先順位の高いエラーコードを表示する。これにより、より報知の必要性の高い異常の発生が優先的に表示されるようになっている。
【００５１】
図９には、各種異常状態に対するエラー表示器８３の表示内容の一例を示す図表である。
【００５２】
この図９の図表において、エラー名の欄には、異常状態の種類（賞球異常排出、貸球異常排出、賞球排出不能、貸球排出不能、セーフ球異常排出、セーフ球排出不能、賞球準備球不足、貸球の準備球不足、オーバーフロー、カードユニット未接続）が示されている。また、エラー分類の欄では、これらの各異常状態が、賞球エラー（賞球排出機構の異常などの賞球排出に関わる異常）であるのか、貸球エラー（貸球排出機構の異常など貸球排出に関わる異常）であるのかを丸印で示している。なお、オーバーフローおよびカードユニット未接続は、賞球エラー、貸球エラーのいずれにも該当する。
【００５３】
リセット義務の欄には、各異常状態についてリセット処理（賞球リセット処理または貸球リセット処理）が必要であるか否かを、丸印で示している。ここで、賞球リセット処理とは、賞球エラー時に排出制御装置７０が実行した賞球異常対応処理（賞球排出禁止処理等）から復帰するときに、排出制御装置７０の賞球排出制御に関するＲＡＭのデータを強制的に初期状態に変更するリセット処理を示す。また、同様に貸球リセット処理とは、貸球エラー時に排出制御装置７０が実行した貸球異常対応処理（貸球排出禁止処理等）から復帰するときに、排出制御装置７０の貸球排出制御に関するＲＡＭのデータを強制的に初期状態に変更するリセット処理を示す。
【００５４】
詳しく説明すると、これらのリセット処理は、異常対応処理の実行状態から復帰するときに、排出制御装置７０（演算処理装置７１）のＲＡＭを初期化する（電源投入時の状態と同じ状態に移行させる）ことにより、現在行っている関連の処理を一切破棄して、正常な状態への切り替えを強制的に行うものである。この場合、賞球リセット処理と貸球リセット処理のいずれか一方は、他方とは独立して実行される。すなわち、例えば賞球リセット処理を実行しても、賞球排出に関する処理のみが強制的に初期化されるだけで、貸球排出に関する処理には影響を与えることはない。
【００５５】
なお、リセット義務が不要であるエラー（リセット不要エラー）の場合には、後述するようにそれぞれの異常状態が修復されると、自動的に異常対応処理が解除されるようになっている。
【００５６】
エラーコードの欄には、発生した異常状態の種類に対応するエラーコード（１桁の数字）が示される。このエラーコードは、エラー表示器８３の表示部８３Ａに表示されるが、同時に２種類以上の異常が発生した場合には、表の最右欄の優先順位の高いエラーコードが表示がなされる。すなわち、優先順位に示した数字が一番小さなエラーのエラーコードが優先的に表示される。なお、図示されるように、この優先順位は、賞球エラーの方が貸球エラーよりも高くなっている。
【００５７】
これにより、より重要度の高い賞球排出に関わるエラーを優先的に認識し、修復することができる。つまり、現実の遊技機においては、遊技球の入賞に伴う賞球排出の機会は貸球操作に伴う貸球排出の機会よりも多くなるのが一般であるので、賞球排出に関わるエラーを優先的に報知し、これに対する対応処理を実行することは、必要となる頻度の大きい賞球排出処理に関わる異常を優先して解消することになり、異常発生が遊技に与える影響を小さく抑えることにつながる。例えば、特別遊技状態（大当たり状態）発生時に賞球排出に関わる異常が発生した結果、遊技者が持ち玉を減少させてしまったり、アタッカー１０の開放時間を無駄にしてしまったりすることを、素早い対応により未然に防止できる。
【００５８】
表示態様の欄には、エラー表示器８３の表示部８３Ａにおける表示態様が示される。図表に示されるように、表示部８３Ａは、正常状態の赤の点灯状態から、賞球エラーが発生した場合には赤色の点滅状態でエラーコードを表示してこれを示し、また貸球エラーが発生した場合には緑色の点滅状態でエラーコードを表示してこれを示すようになっている。
【００５９】
つぎに各種異常状態の具体的内容を説明する。まず、賞球異常排出、貸球異常排出、セーフ球異常排出とは、それぞれ賞球排出ソレノイド５６、貸球排出ソレノイド５４、セーフソレノイド４１を作動させていないにもかかわらず、賞球排出センサ５５、貸球排出センサ５２、セーフセンサ４０が遊技球の排出を検知する異常状態であり、例えば、賞球排出ソレノイド５６、貸球排出ソレノイド５４、セーフソレノイド４１のバネ等の部品が壊れている場合や、不正行為者が賞球、貸球、セーフ球を抜き出す不正行為を行っている場合等に発生する。なお、これらの場合の異常対応処理の解除は、それぞれ賞球リセットボタン８１、貸球リセットボタン８２を押すリセット処理によりなされる。
【００６０】
また、賞球排出不能、貸球排出不能、セーフ球排出不能とは、それぞれ賞球排出ソレノイド５６、貸球排出ソレノイド５４、セーフソレノイド４１を作動させているにもかかわらず、賞球排出センサ５５、貸球排出センサ５２、セーフセンサ４０が遊技球の排出を検知しない異常状態であり、例えば、賞球排出ソレノイド５６、貸球排出ソレノイド５４、セーフソレノイド４１が断線等により作動しない場合や、賞球排出センサ５５、貸球排出センサ５２、セーフセンサ４０が故障した場合等に発生する。なお、これらの場合の異常対応処理の解除は、賞球リセットボタン８１または貸球リセットボタン８２を押すリセット処理によりなされる。
【００６１】
また、賞球準備球不足、貸球準備球不足とは、それぞれ賞球用半端センサ４５、貸球用半端センサ４４が「球無し」を検視してから所定時間が経過した異常状態であり、賞球、貸球として排出すべき遊技球が不足したときに発生する。この賞球準備球不足、貸球準備球不足の場合の異常対応処理は、それぞれ賞球用半端センサ４５、貸球用半端センサ４４が「球有り」を検視してから所定時間が経過すると解除される。
【００６２】
また、オーバーフローとは、オーバーフローセンサ６１が「球有り」を検知して所定時間が経過した異常状態であり、下皿１９が遊技球で一杯になり遊技球の放出が必要な場合に発生する。また、このオーバーフロー時には、賞球異常対応処理と貸球異常対応処理の両方が実行されるが、これらの異常対応処理は、オーバーフローセンサ６１が「球無し」を検出して所定時間が経過すると解除される。
【００６３】
また、カードユニット未接続とは、カードユニット制御装置２６が排出制御装置７０に接続されていない異常状態である。また、このカードユニット未接続時には、賞球異常対応処理と貸球異常対応処理の両方が実行されるが、これらの異常対応処理は、カードユニット制御装置２６を排出制御装置７０に接続することにより解除される。
【００６４】
図１０には、パチンコ遊技機１の制御系を示す。
【００６５】
図示されるように、遊技制御装置（遊技制御回路）３６には、賞球用半端センサ４５からの検出信号、賞球排出センサ５５からの検出信号、セーフセンサ４０からの検出信号、前面カバー部材１５の開閉状態を検出する金枠センサ６０からの検出信号、オーバーフローセンサ６１からのオーバーフロー状態の検出信号等が入力される。
【００６６】
遊技制御装置３６は、これらの検出信号に基づいて、排出制御装置（排出制御回路）７０に、排出すべき賞球の数を示す賞球制御情報、賞球用半端センサ４５の検出信号に基づいて判定した貯留賞球量の判定結果を出力し、また、可変表示装置１２の表示を制御する表示制御装置６３、パチンコ遊技における効果音等を生成する音声制御装置６４にそれぞれ制御信号を出力する。また、図示されない管理コンピュータには、金枠開信号等の各種信号や大当たり情報等の各種情報を出力する。
【００６７】
発射制御装置６５は、打球発射を制御する装置で、排出制御回路７０からの打球発射許可信号により打球発射が許可された場合に限り、発射操作部２０の操作にしたがって遊技球が発射されるように、打球発射装置のモータ６６を制御する。なお、発射制御装置６５には、単発スイッチ６７、タッチプレート６８からの信号が入力され、単発スイッチ６７が操作された場合、およびタッチプレート６８により遊技者が操作部２０の操作していることの検出がなされない場合には、遊技球を発射しないように打球発射装置のモータ６６を制御する。
【００６８】
カードユニット制御装置２６は、球貸スイツチ２３およびカード返却スイッチ２４からの信号が入力され、この信号に基づいて排出制御装置４０に球貸制御信号を出力する。また、残高表示部２５に信号を送信し、残高表示部２５にカード残高を表示する。
【００６９】
排出制御装置（排出制御回路）７０は、ＣＰＵ、ＲＯＭ、ＲＡＭを備えた演算処理装置７１、入出力インターフェース７２等から構成される。
【００７０】
この排出制御装置７０には、貸球用半端センサ４４からの検出信号、貸球排出センサ５２からの検出信号、カードユニット制御装置２６からの球貸制御信号、遊技制御装置３６からの賞球制御情報、貯留賞球量の判定結果、オーバーフロー情報が、それぞれ入力される。また、賞球リセットボタン８１、貸球リセットボタン８２が押されると、これを示すスイッチＯＮ信号が入力される。なお、オーバーフロー情報に関し、本実施形態では遊技制御装置３６を介して入力するように構成してあるが、検出信号をオーバーフローセンサ６１から直接入力するように構成してもよい。
【００７１】
また、排出制御装置７０は、球貸異常ランプ２１、賞球異常ランプ２２、賞球排出ソレノイド５６、貸球排出ソレノイド５４、セーフユニット３９のセーフソレノイド４１に駆動信号を出力し、発射制御装置６５に遊技球の発射を許可する許可信号を出力し、カードユニット制御装置２６へ球貸制御信号を出力する。また、排出制御装置７０は、賞球エラー、貸球エラーの発生時に、それぞれ、賞球リセットボタン８１、貸球リセットボタン８２に賞球リセット要求ランプ８１Ａ、貸球リセット要求ランプ８２Ａの点滅指令を送信し、またエラー表示器８３にはエラーの種類を示す情報を送信する。
【００７２】
なお、排出制御装置７０の演算処理装置７１には、各種エラーの発生時に立てられるエラーフラグが、エラーの種類毎に備えられている。
【００７３】
図１１は、排出制御装置７０において実行されるエラー関連制御の処理手順を示すフローチャートである。
【００７４】
電源が投入されると、まずステップＳ１において初期化処理が実行され、演算処理装置７１のＲＡＭの記憶データが初期化される。これにより、エラーフラグは総てクリアされた状態となる。
【００７５】
続くステップＳ２においては賞球排出機構からの賞球排出動作を許可し、ステップＳ３においては貸球排出機構からの貸球排出動作を許可する。
【００７６】
ステップＳ４においては、何らかのエラー発生（賞球エラーまたは貸球エラー）が検出されたか否かの判定がなされる。そして、このステップＳ４において何らかのエラー発生が検出された場合には、ステップＳ５〜ステップＳ９の処理を実行してステップＳ１０に進む。一方、エラー発生が検出されなかった場合には、そのままステップＳ１０に進む。
【００７７】
ステップＳ５においては、発生したエラーに該当するエラーフラグをセットし、続くステップＳ６においては、発生したエラーが賞球リセット義務エラー（賞球異常排出、賞球排出不能、セーフ球排出不能、セーフ球異常排出のいずれかののエラー）であるか否かの判定を行う。そして、賞球リセット義務エラーである場合には、ステップＳ７において賞球リセットボタン８１の賞球リセット要求ランプ８１Ａの点滅を開始し、ステップＳ８に進む。また、賞球リセット義務エラーでない場合にはそのままステップＳ８に進む。
【００７８】
ステップＳ８においては、発生したエラーが貸球リセット義務エラー（貸球異常排出、貸球排出不能のいずれかのエラー）であるか否かの判定を行う。そして、貸球リセット義務エラーである場合には、ステップＳ９において貸球リセットボタン８１の貸球リセット要求ランプ８２Ａの点滅を開始し、ステップＳ１０に進む。また、貸球リセット義務エラーでない場合にはそのままステップＳ１０に進む。
【００７９】
ステップＳ１０においては、リセット不要エラー（賞球準備球不足、貸球準備球不足、オーバーフロー、カードユニット未接続）について異常状態が解除（修復）されたか否かの判定がなされ、異常状態が解除されない場合にはそのままステップＳ１２に進む。一方、異常状態が解除された場合には、ステップＳ１１において、該当するエラーフラグをクリアして、ステップＳ１２に進む。
【００８０】
ステップＳ１２においては、賞球に関するエラーフラグがセットされているか否かの判定がなされ、セットされている場合にはステップＳ１３で賞球排出動作の禁止処理を行い、セットされていない場合にはステップＳ１４で賞球排出動作の許可処理を行う。
【００８１】
ステップＳ１３またはステップＳ１４に続くステップＳ１５においては、貸球に関するエラーフラグがセットされているか否かの判定がなされ、セットされている場合にはステップＳ１６で貸球排出動作の禁止処理を行い、セットされていない場合にはステップＳ１７で貸球排出動作の許可処理を行う。
【００８２】
ステップＳ１６またはステップＳ１７に続くステップＳ１８においては、異常状態が賞球に関するものであるか貸球に関するものであるかに応じて、賞球異常ランプ２２、球貸異常ランプ２１を点滅させる処理を行う。
【００８３】
続くステップＳ１９においては、発生したエラーの種類に応じて、エラー表示器８３に、該当するエラー表示を行う。
【００８４】
ステップＳ２０においては、リセット受付処理（図１２のフローチャート参照）を行い、ステップＳ４に戻る。
【００８５】
なお、本フローチャートでは、ステップＳ１２で賞球に関するエラーフラグがセットされていると判定された場合に、ステップＳ１３において賞球排出動作の禁止処理を行い、ステップＳ１５で貸球に関するエラーフラグがセットされていると判定された場合に、ステップＳ１６において貸球排出動作の禁止処理を行うようにしているが、本発明はこのような形態に限られず、ステップＳ１３およびステップＳ１６では、それぞれ賞球排出および貸球排出を両方とも禁止するようにしてもよい。これにより、賞球排出機構または貸球排出機構のいずれか一方に異常が発生した場合には、賞球排出機構および貸球排出機構の両方からの排出が禁止されるので、パチンコ遊技機１の上皿（供給皿）１６には全く遊技球の排出がなされないことになり、遊技者は球貸異常ランプ２１、賞球異常ランプ２２の点滅を見逃したとしても、遊技球が排出されないことに基づいて異常発生を確実に認識できる。したがって、迅速かつ確実な異常状態への対応を行い得る。
【００８６】
図１２は、図１１のエラー関連処理のステップＳ２０において実行されるリセット受付処理の処理手順を示すフローチャートである。
【００８７】
ステップＳ２１では、賞球リセットスイッチ（賞球リセットボタン）８１の操作が検出されたか否かの判定がなされ、操作が検出されない場合には、そのままステップＳ２６に進む。
【００８８】
一方、賞球リセットスイッチ８１の操作が検出された場合には、ステップＳ２２において賞球排出動作の初期化を行い、賞球排出動作の進行状態にかかわらず（賞球の排出中であってもなくても）、排出制御装置７０の賞球排出制御のＲＡＭの賞球排出制御に関わるデータを初期化し、賞球排出を初期状態からやり直す。そして、ステップＳ２３で賞球リセット要求ランプ８１Ａの点滅中止を行い、ステップＳ２４で賞球に関するエラーフラグを総てクリアし、ステップＳ２５で賞球排出動作の許可処理を行って、ステップＳ２６に進む。
【００８９】
ステップＳ２６では、貸球リセットスイッチ（貸球リセットボタン）８２の操作が検出されたか否かの判定がなされ、操作が検出されない場合には、そのままルーチンを終了する。
【００９０】
一方、貸球リセットスイッチ８２の操作が検出された場合には、ステップＳ２７において、貸球の排出中、非排出中にかかわらず、貸球排出動作の初期化（貸球排出制御に関わるＲＡＭデータの初期化）を行う。そして、ステップＳ２８で貸球リセット要求ランプ８２Ａの点滅中止を行い、ステップＳ２９で貸球に関するエラーフラグを総てクリアし、ステップＳ３０で貸球排出動作の許可処理を行って、ルーチン終了する。
【００９１】
つぎに全体的な作用を説明する。
【００９２】
パチンコ遊技に先立って、遊技者は遊技球を借りるために、遊技カードをカードユニット３のカード挿入口に挿入し、球貸スイッチ２３を操作する。この球貸スイツチ２３の操作信号はカードユニット制御装置２６に入力され、カードユニット制御装置２６は、球貸スイッチ２３の操作があったことを示す球貸制御信号を排出制御装置７０に出力する。この球貸制御信号に基づいて排出制御装置７０は、遊技球を貸球として排出させる。
【００９３】
また、パチンコ遊技が開始されると、遊技の進行状態にしたがって、遊技制御装置３６から排出制御装置７０に賞球制御情報が送信される。賞球排出回路７０は、この賞球制御情報にしたがって、遊技球を賞球として排出させる。
【００９４】
この間、排出制御装置７０には、各種センサ（賞球排出センサ５５、貸球排出センサ５２、セーフセンサ４０、賞球用半端センサ４５、貸球用半端センサ４４、オーバーフローセンサ６１等）からの各種検出信号が入力される。排出制御装置７０は、これらの検出信号に基づいて、賞球排出機構または貸球排出機構に発生した各種異常（賞球異常排出、貸球異常排出、賞球排出不能、貸球排出不能、セーフ球異常排出、セーフ球排出不能、賞球準備球不足、貸球準備球不足、オーバーフロー、カードユニット未接続等）を検出する。そして、発生した異常に応じて、賞球異常対応処理（賞球リセットボタン８１の賞球リセット要求ランプ８１Ａの点滅開始、エラー表示器８３の表示部８３Ａへのエラーコードの表示、賞球の排出禁止処理の各処理）、貸球異常対応処理（貸球リセットボタン８２のリセット要求ランプ８２Ａの点滅開始、エラー表示器８３の表示部８３Ａへのエラーコードの表示、貸球の排出禁止処理の各処理）を行う。
【００９５】
この場合、各種エラーには図９に示したように優先順位が付けられており、複数の異常が同時発生した場合には、エラー表示器８３への表示はこの優先順位にしたがってなされる。したがって、エラー表示器８３には、例えば異常への対応処理が真っ先になされるべきもの（例えば、賞球の排出にかかわる異常）が優先的に表示されることになり、このエラー表示を見た者は、異常への対応処理を迅速かつ適確に行い得る。また、エラー表示器８３の表示部８３Ａは一つで済み、コストを削減できる。
【００９６】
また、賞球または貸球の排出禁止処理では、賞球排出機構または貸球排出機構のいずれか一方にのみ異常が発生した場合でも、賞球排出機構からの賞球排出および貸球排出機構からの貸球排出の両方を禁止するようにしてもよい。これにより、パチンコ遊技機１の上皿（供給皿）１６には遊技球の排出はなされないことになり、遊技者は、異常発生時に球貸異常ランプ２１または賞球異常ランプ２２の点滅を見逃していたとしても、遊技球が排出されないことに基づいて確実に異常発生を認識できる。すなわち、賞球排出機構または貸球排出機構のいずれか一方における異常発生時に、いずれか他方からの排出があることにより、遊技者が、実際には異常が発生して遊技球排出が禁止されている排出機構から賞球または貸球が排出されていると誤解してしまうことはない。
【００９７】
このように、排出制御装置７０により異常発生が検出、報知されると、例えば遊技店の店員により、これらの異常状態を修復する処理がなされる。この異常への対応処理によりパチンコ遊技機１が異常状態から復帰すると、リセット義務がない異常（賞球準備球不足、貸球準備球不足、オーバーフロー、カードユニット未接続）の場合には、自動的に賞球または貸球の排出禁止処理が解除され、通常の遊技への復帰がなされる。一方、リセット義務がある異常（賞球異常排出、貸球異常排出、賞球排出不能、貸球排出不能、セーフ球異常排出、セーフ球排出不能）の場合には、点滅している賞球リセットボタン８１または貸球リセットボタン８２を押すことにより、賞球または貸球の排出禁止処理が解除され、遊技は初期状態から再び開始される。
【００９８】
このように本発明によれば、球排出機構に関する異常が発生した場合に、賞球リセットボタン８１の賞球リセット要求ランプ８１Ａ、貸球リセットボタン８２の貸球リセット要求ランプ８２Ａおよびエラー表示器８３によって、発生した異常の種類を具体的に知り得るような表示が適確になされるので、異常への対応処理が迅速かつ適確に行われ得る。
【００９９】
また、リセット義務エラーについては、賞球リセットボタン８１または貸球リセットボタン８２を押すことにより通常の遊技へ復帰可能であり、賞球排出機構または貸球排出機構を一方づつ復帰させることができるので、例えば賞球排出機構の異常が修理されたが、貸球排出機構がまだ異常状態にある場合でも、賞球排出機構を貸球排出機構の点検、修復に先立って排出禁止処理の実行状態から復帰させて、遊技者に遊技を行わせつつ、貸球排出機構の点検、修復を行うなど、異常への対処を柔軟に行える。したがって、遊技への復帰時間を短くでき、パチンコ遊技機１の稼働時間を長くすることができる。
【０１００】
図１３、図１４には、本発明の第２の実施の形態を示す。
【０１０１】
なお、この実施の形態は、上記第１の実施の形態と比較して、図８に示した賞球リセットボタン８１または貸球リセットボタン８２の代わりに賞球リセット要求ランプ８４、貸球リセット要求ランプ８５、セーフ球リセット要求ランプ８６を設けた構成、および図１２に示したリセット受付処理の処理手順のみが異なり、他の構成は共通する。したがって、以下の説明では、これら第１の実施の形態と相違する構成を中心に説明する。
【０１０２】
図１３に示すように、パチンコ遊技機１の裏面の所定位置に設けられた中継基板９０上には、賞球リセット要求ランプ８４、貸球リセット要求ランプ８５、セーフ球リセット要求ランプ８６が備えられる。そして、賞球ユニット９１、貸球ユニット９２、セーフユニット３９にリセット義務エラーが発生した場合には、排出制御装置７０は、それぞれ賞球リセット要求ランプ８４、貸球リセット要求ランプ８５、セーフ球リセット要求ランプ８６を点灯させることにより、これを報知する。
【０１０３】
ここで、中継基板９０は、遊技制御装置（遊技制御回路）３６、排出制御装置（排出制御回路）７０、賞球ユニット（賞球排出機構）９１、貸球ユニット（貸球排出機構）９２、セーフユニット３９の相互の連結を中継する基板である。また、賞球ユニット９１と貸球ユニット９２は別体にして設けられるとともに、賞球ユニット９１と中継基板９０との接続部９３、貸球ユニット９２と中継基板９０との接続部９４、セーフユニット３９と中継基板９０との接続部９５は、それぞれ抜き差し可能（接続の解除および再接続可能）となっている。
【０１０４】
排出制御装置７０の演算処理装置７１には、賞球排出センサ５５のレベルを検出するレベル検出回路７３と、貸球排出センサ５２のレベルを検出するレベル検出回路７４と、セーフセンサ４０のレベルを検出するレベル検出回路７５が備えられる。これらのレベル検出回路７３、７４、７５は、賞球排出センサ５５、貸球排出センサ５２、セーフセンサ４０のレベルを検出にしたがって、「球有り」のレベル（例えば５Ｖ）、「球無し」のレベル（例えば０Ｖ）、「断線」のレベル（例えば２．５Ｖ）の３種類のレベルを採る。ここで、「断線」とは、賞球排出ユニット９１、貸球排出ユニット９２、セーフユニット３９と排出制御回路７０（中継基板９０）とが断線した場合（すなわち、接続部９３、９４、９５が抜き取られた場合）を示す。
【０１０５】
このようなレベル検出回路７３、７４、７５の検出レベルは、それぞれ賞球排出ユニット断線検出回路７６、貸球排出ユニット断線検出回路７７、セーフユニット断線検出回路７８により監視、判定される。そして、賞球異常対応処理（賞球排出ユニット９１、セーフユニット３９からの排出禁止処理等）および貸球異常対応処理（貸球排出ユニット９２からの排出禁止処理等）は、賞球排出ユニット断線検出回路７６、貸球排出ユニット断線検出回路７７、セーフユニット断線検出回路７８がいったん「断線」のレベルを検出し、その後「球有り」または「球無し」のレベルを検出した場合（賞球排出ユニット断線、貸球排出ユニット断線、セーフユニット断線からの復帰があった場合）に、解除されるようになっている。
【０１０６】
図１４には、本実施の形態におけるリセット受付処理の処理手順を示す。本実施の形態においては、図１１のステップＳ２０の処理として、この図１４の処理が実行される。
【０１０７】
ステップＳ３１では、賞球排出ユニット断線からの復帰があったか否か（接続部９３がいったん抜き取られ、再び接続される動作があったか否か）が判定され、復帰がなかった場合には、ステップＳ３７に進む。
【０１０８】
一方、賞球排出ユニット断線からの復帰があった場合には、ステップＳ３２において、セーフユニット断線からの復帰があったか否か（接続部９５がいったん抜き取られ、再び接続される動作があったか否か）の判定がなされ、復帰がなかった場合には、ステップＳ３７に進む。
【０１０９】
一方、セーフユニット断線からの復帰があった場合には、ステップＳ３３で賞球排出動作の初期化し、ステップＳ３４で賞球リセット要求ランプ８４、セーフ球リセット要求ランプ８６の点滅中止を行い、ステップＳ３５で賞球に関するエラーフラグを全クリアし、ステップＳ３６で賞球排出動作を許可して、ステップＳ３７に進む。
【０１１０】
ステップＳ３７では、貸球排出ユニット断線からの復帰があったか否か（接続部９４がいったん抜き取られ、再び接続される動作があったか否か）が判定され、復帰がなかった場合には、そのままルーチン終了する。
【０１１１】
一方、貸球排出ユニット断線からの復帰があった場合には、ステップＳ３８で貸球排出動作の初期化し、ステップＳ３９で貸球リセット要求ランプ８５の点滅中止を行い、ステップＳ４０で貸球に関するエラーフラグを全クリアし、ステップＳ４１で貸球排出動作を許可して、ルーチン終了する。
【０１１２】
このように、本実施の形態では、賞球排出ユニット９１、貸球排出ユニット９２、セーフユニット３９の接続が抜き差しされることにより、異常対応処理の実行状態からの復帰がなされるようになっている。したがって、異常状態が発生したときに、異常が発生した賞球排出ユニット９１、貸球排出ユニット９２、セーフユニット３９の接続部９３、９４、９５をいったん抜き取り、修理をして、再び接続部９３、９４、９５の接続を行った場合に、自動的に異常対応処理の実行状態からの復帰がなされ、特に復帰のための動作を行う必要がない。また、復帰するための操作（上記第１の実施の形態のようにボタンを押す動作等）を間違えて、異常の発生していない方の球排出機構のリセットをしてしまうようなこともない。したがって、異常からの復帰処理は、確実かつ迅速に行い得る。
【０１１３】
なお、上記第２の実施の形態において、賞球ユニット９１、貸球ユニット９２、セーフユニット３９は中継基板９０に接続されるようになっていたが、本発明はこのような形態に限られるものではなく、賞球ユニット９１、貸球ユニット９２、セーフユニット３９が遊技機本体側（排出制御装置７０側）に接続および接続解除可能な形態であればよい。
【０１１４】
また、図１４のフローチャートにおいては、ステップＳ３１、ステップＳ３２で賞球排出ユニット断線からの復帰、セーフユニット断線からの復帰の両方がなされた場合に（接続部９３、９５の両方が抜き差しされた場合に）、賞球排出の復帰がなされるようになっているが、本発明はこのような形態に限られず、賞球排出ユニット断線またはセーフユニット断線のいずれか一方からの復帰がなされた場合に、賞球排出の復帰がなされるようにしてもよい。
【０１１５】
また、以上の実施の形態（第１、第２の実施の形態）においては、代表的な遊技機であるパチンコ遊技機を例に挙げて説明したが、本発明の適用範囲はパチンコ遊技機に限られるものではなく、例えばアレンジボール遊技機など、球排出機構を用いて貸球および賞球を排出する任意の遊技機に適用することができる。
【図面の簡単な説明】
【図１】  本発明の実施の形態を示すパチンコ遊技機の正面図である。
【図２】  同じくパチンコ遊技機の背面図である。
【図３】  同じく、（ａ）は球導出樋および半端センサユニットを示す斜視図、（ｂ）は（ａ）のＡ−Ａ断面図である。
【図４】  同じく球排出ユニットおよびセーフユニットの斜視図である。
【図５】  同じく半端センサユニットの説明図であり、（ａ）は遊技球が貯留されていない状態の説明図、（ｂ）は（ａ）におけるＢ−Ｂ断面図、（ｃ）は遊技球を貯留した状態の説明図である。
【図６】  同じく球排出ユニットの斜視図である。
【図７】  同じく球排出ユニットの貸球排出部の断面図である。
【図８】  賞球リセットボタン、貸球リセットボタン、エラー表示器の表示部を示す図である。
【図９】  同じく各種異常状態に対するエラー表示器８３の表示内容の一例を示す図表である。
【図１０】  同じくパチンコ遊技機の制御系の構成図である。
【図１１】  同じくエラー関連制御の処理手順を示すフローチャートである。
【図１２】  同じくリセット受付処理の処理手順を示すフローチャートである。
【図１３】  本発明の第２の実施の形態の主要部分を示す構成図である。
【図１４】  同じくリセット受付処理の処理手順を示すフローチャートである。
【符号の説明】
１  パチンコ遊技機
３  カードユニット
２１  球貸異常ランプ
２２  賞球異常ランプ
２６  カードユニット制御装置
３４  球排出ユニット
３９  セーフユニット
４０  セーフセンサ
４１  セーフソレノイド
４４  貸球用半端センサ
４５  賞球用半端センサ
５０  貸球排出部
５１  賞球排出部
５２  貸球排出センサ
５４  貸球排出ソレノイド
５５  賞球排出センサ
５６  賞球排出ソレノイド
６１  オーバーフローセンサ
７０  排出制御装置
７１  演算処理装置
７３  レベル検出回路
７４  レベル検出回路
７５  レベル検出回路
７６  賞球排出ユニット断線検出回路
７７  貸球排出ユニット断線検出回路
７８  セーフユニット断線検出回路
８１  賞球リセットボタン
８１Ａ  賞球リセット要求ランプ
８２  貸球リセットボタン
８２Ａ  貸球リセット要求ランプ
８３  エラー表示器
８３Ａ  表示部
８４  接続部
８５  接続部
８６  接続部
９０  中継基板
９１  賞球排出ユニット
９２  貸球排出ユニット
【図１】
0004068750.tif 000002
【図２】
0004068750.tif 000003
【図３】
0004068750.tif 000004
【図４】
0004068750.tif 000005
【図５】
0004068750.tif 000006
【図６】
0004068750.tif 000007
【図７】
0004068750.tif 000008
【図８】
0004068750.tif 000009
【図９】
0004068750.tif 000010
【図１０】
0004068750.tif 000011
【図１１】
0004068750.tif 000012
【図１２】
0004068750.tif 000013
【図１３】
0004068750.tif 000014
【図１４】
0004068750.tif 000015